(57)【特許請求の範囲】
【請求項１】
上流側の排水管が接続される上流管接続口を一端側に備え、下流側の排水管が接続される下流管接続口を他端側に備え、前記上流管接続口及び前記下流管接続口の間に排水路が形成された継手本体と、
該継手本体に接続され前記排水路に連通する枝体と
を具備し、
前記枝体は、
前記排水路の流下方向に対して平行に配置され、下流側の端部に流出口を備える円筒状の流出部と、
該流出部の上流端側から直角外方向に延出され、排水枝管が接続される枝管接続口を開放端側に備える流入部と、を有し、
前記継手本体は、
前記継手本体の壁面に凹設され、前記枝体の前記流出部が収容される収容凹部と、
該収容凹部に設けられ、前記流出部を中心に前記流入部が所定角度内で旋回するように、前記流出部の前記流出口側を回動可能に支持する枝体接続口と、をさらに有する
ことを特徴とする合流管継手。
【請求項２】
前記枝体は、前記流出部の上流端側から前記流下方向の反対側に向かって突設された円柱状または円筒状の突出部を有し、
前記継手本体は、前記突出部を回動可能に支持する支持部をさらに備える
ことを特徴とする請求項１に記載の合流管継手。
【発明の詳細な説明】
【技術分野】
【０００１】
本発明は、合流管継手に関し、特に、排水設備に接続された排水枝管を、建物内の排水管に合流させる際に用いられる合流管継手に関するものである。
【背景技術】
【０００２】
特許文献１に示すように、排水設備に接続された排水枝管を、建物内の排水管に合流させるための管継手として、Ｔ形の合流管継手（いわゆる「チーズ」）を用いることが知られている。この合流管継手は、図５（ａ）に示すように、円筒状の継手本体５１と、継手本体５１から分岐された枝体５５とを備えており、継手本体５１の両端の接続口５２，５３に夫々上流側排水管６０及び下流側排水管６１（以下、まとめて「排水管６０，６１」という）を接続し、枝体５５の接続口５６に排水枝管６５を接続することで、排水設備（図示しない）から排出された排水が、継手本体５１で合流されるようになっている。なお、建物の床下で配管する場合には、排水管６０，６１は横引き管となり、継手本体５１は横向きに設置される。
【０００３】
ところで、上記の合流管継手５０では、枝体５５は、二つの接続口５２，５３の間の継手本体５１の周壁から、径方向外側（遠心方向）に向かって延出されている。つまり、枝体５５を通して継手本体５１に合流される排水は、継手本体５１の中心に向かって流込むように構成されている。
【発明の概要】
【発明が解決しようとする課題】
【０００４】
しかし、上記の合流管継手５０によれば、枝体５５が継手本体５１と一体で成形されているため、継手本体５１を横向きに配置する場合、以下の不具合を有していた。すなわち、図５（ｂ）に示すように、枝体５５の延出方向（傾斜角度）が水平方向になるように設置すると、継手本体５１に対する合流点Ｐの位置が継手本体５１の中央の高さとなり、これによれば、上流側排水管６０から流込む排水の量が継手本体５１の容積の半分を超えた際、枝体５５側に流込み、排水設備に向かって逆流するおそれがあった。
【０００５】
また、逆流に至らなくても、上流側排水管６０から流込む排水の量が多い場合には、枝体５５から流出する排水が、排水路５４を流れる排水の流下方向に対して直角方向に合流するため、枝体５５からの流出が阻害され、円滑に排出できなくなる可能性もあった。
【０００６】
一方、図５（ｃ）に示すように、合流点Ｐが排水路５４の上部に位置するように継手本体５１を配置した場合には、枝体５５への流込みを阻止することが可能になるが、これによれば、横引き管に対し枝体５５が垂直に立設された状態となるため、枝体５５と排水枝管６５とを接続するエルボ等の継手７０が別途必要になり、全体の構成が複雑になっていた。また、この場合、配管全体の高さが大きくなるため、床下等に設置することが困難となるおそれがあった。
【０００７】
このように、従来の合流管継手５０によれば、枝体５５の角度を考慮して配置した場合には、継手本体５１に対する合流点Ｐの高さが定まることから逆流などが懸念され、一方、合流点Ｐの高さを考慮して配置した場合には、枝体５５の角度が定まることから接続が困難になるおそれがあり、使い勝手の悪いものとなっていた。
【０００８】
また、合流管継手５０を設置する場合には、まず継手本体５１の両端の接続口５２，５３に排水管６０，６１を夫々接続し、その後、枝体５５の接続口５６に排水枝管６５を接続することとなるが、継手本体５１に排水管６０，６１を固定した後は、枝体５５の角度を変化させることができなくなるため、排水枝管６５の接続作業が困難となったり、排水枝管６５に大きな負荷が加わったりするおそれがあった。
【０００９】
そこで、本発明は、上記の実状に鑑み、枝体から流出する排水を円滑に合流させるとともに、継手本体に対する合流点の高さを設定した後も、排水枝管に合わせて枝体の角度を容易に調整することが可能な合流管継手を提供することを課題とするものである。
【課題を解決するための手段】
【００１０】
本発明にかかる合流管継手は、
「上流側の排水管が接続される上流管接続口を一端側に備え、下流側の排水管が接続される下流管接続口を他端側に備え、前記上流管接続口及び前記下流管接続口の間に排水路が形成された継手本体と、
該継手本体に接続され前記排水路に連通する枝体と
を具備し、
前記枝体は、
前記排水路の流下方向に対して平行に配置され、下流側の端部に流出口を備える円筒状の流出部と、
該流出部の上流端側から直角外方向に延出され、排水枝管が接続される枝管接続口を開放端側に備える流入部と、を有し、
前記継手本体は、
前記継手本体の壁面に凹設され、前記枝体の前記流出部が収容される収容凹部と、
該収容凹部に設けられ、前記流出部を中心に前記流入部が所定角度内で旋回するように、前記流出部の前記流出口側を回動可能に支持する枝体接続口と、をさらに有する」
ことを特徴とするものである。
【００１１】
ここで、「排水枝管」は、排水設備に繋がれた排水管であり、枝体の枝管接続口に接続される。なお、排水枝管として、互いに外径が異なる複数種類の排水枝管（異径管）が選択的に接続される場合には、いずれの排水枝管に対しても適合できるように、枝管接続口の内径が先端（開放端）に向かって階段状に拡大された形状としてもよい。
【００１２】
また、流入部の旋回可能な角度、すなわち「所定角度」の大きさは、特に限定されるものではないが、１８０度とすることが好ましく、これによれば、継手本体を固定した状態でも、流入部の延出方向（枝体の角度）を、基準角度を中心に１８０度の範囲内で自在に調整することが可能になる。
【００１３】
本発明の合流管継手によれば、継手本体を横向きに配置し、上流側の排水管を上流管接続口に接続し、下流側の排水管を下流管接続口に接続すれば、上流側の排水管から送られた排水を、継手本体の排水路を通して下流側の排水管に送ることが可能になる。また、継手本体から分岐された枝体には、枝管接続口が設けられており、排水設備に繋がれた排水枝管を枝管接続口に接続すれば、排水設備から排出された排水を、枝体を通して継手本体で合流させることが可能になる。
【００１４】
特に、排水設備から排出された排水は、収容凹部に収容された枝体の流出部を通り、排水路の流下方向に沿って流れながら、継手本体の排水路に合流する。したがって、枝体から流出する排水は、排水路を流れる排水によって阻害され難くなり、円滑に合流させることが可能になる。
【００１５】
また、枝体の流入部は、流出部を回転中心として、所定角度内で旋回可能に支持されているため、継手本体における枝体接続口の位置（すなわち合流点の高さ）に拘らず、枝体の角度を任意に調整することが可能となる。
【００１６】
本発明の合流管継手において、
「前記枝体は、前記流出部の上流端側から前記流下方向の反対側に向かって突設された円柱状または円筒状の突出部を有し、
前記継手本体は、前記突出部を回動可能に支持する支持部をさらに備える」
構成とすることができる。
【００１７】
ここで、「支持部」は、継手本体と一体で成形してもよく、別部材で構成し継手本体に取付けるようにしてもよい。
【００１８】
これによれば、流出部の上流端側には、円柱状または円筒状の突出部が形成されており、継手本体に設けられた支持部によって回動可能に支持されている。つまり、枝体は、両端が回動可能に支持された状態となり、枝体の安定性を高めるとともに、流入部の角度を円滑に変化させることが可能になる。
【発明の効果】
【００１９】
このように、本発明によれば、継手本体に対する合流点の高さを設定した後も、排水枝管に合わせて枝体の角度を容易に調整することができる。このため、排水の逆流を防止するとともに、排水枝管の接続のし易さを大幅に高めることができる。また、枝体から流出する排水の流れを阻害することなく、円滑に合流させることができる。
【図面の簡単な説明】
【００２０】
【図１】（ａ）は本実施形態の合流管継手を斜め前から見た斜視図であり、（ｂ）は合流管継手の横断面を斜めから見た断面斜視図である。
【図２】合流管継手を分解して斜め前から見た分解斜視図である。
【図３】合流管継手の使用状態を示す説明図である。
【図４】（ａ）は他の例の合流管継手を分解して斜め前から見た分解斜視図であり、（ｂ）は合流管継手の横断面を斜めから見た断面斜視図である。
【図５】従来の合流管継手の使用状態を示す説明図である。
【発明を実施するための形態】
【００２１】
以下、本発明の実施形態である合流管継手１について、図１及び図２に基づき説明する。合流管継手１は、建物の床下等に横設され、排水設備（図示しない）に繋がれた排水枝管６５（図３参照）を排水の通路に合流させるものである。合流管継手１は、略円筒状の継手本体２と、継手本体２に接続された枝体３と、枝体３及び継手本体２の接続部分に嵌合されたパッキン４と、から構成されている。以下、各構成について詳細に説明する。
【００２２】
継手本体２は、硬質塩化ビニル等の合成樹脂製の部材であり、上流側排水管６０（図３参照）が接続される上流管接続口５を一端側に備え、下流側排水管６１（図３参照）が接続される下流管接続口６を他端側に備えており、上流管接続口５及び下流管接続口６の間に排水路７が形成されている。また、継手本体２の外周面には、断面半円状の収容凹部８が、排水路７における排水の流下方向に沿って形成されている。つまり、継手本体２における周壁の一部分が排水路７の中心軸に向かって円弧状に窪むことで、排水路７とは区画された収容凹部８が形成されている。
【００２３】
この収容凹部８は、後述する枝体３の流出部２１を収容するように形成されており、収容凹部８の直径（内径）が、流出部２１の直径（外径）と略一致している。つまり、流出部２１の約半分が継手本体２の外周面から突出するようになっている。
【００２４】
また、継手本体２の外周面には、収容凹部８と直交する断面半円状の窪み部９が形成されている。この窪み部９は、後述する枝体３の流入部２５が旋回する際、継手本体２に干渉しないようにしたものであり、収容凹部８と同様、継手本体２における周壁の一部分を円弧状に窪ませることで形成されている。
【００２５】
また、収容凹部８の下流側（下流管接続口６側）の端部には、枝体３の流出部２１の下流端側を回動可能に支持する枝体接続口１０が形成されている。詳しく説明すると、枝体接続口１０は、下流端側の収容凹部８を外側から覆い、対向する収容凹部８の内面との協働で円形の挿入孔を形成する半円筒状の回動支持部１１を備えている。つまり、回動支持部１１の内径は、流出部２１の直径（外径）と略一致しており、継手本体２の外周面から突出する流出部２１の約半分を外側から支持することで、流出部２１を回動可能に支持している。なお、回動支持部１１の上流端側は、流出部２１が挿入できるように開放されているが、回動支持部１１の下流端側は、流出部２１から流出する排水が継手本体２の外部に排出されないように塞がれている。
【００２６】
また、枝体接続口１０は、継手本体２内の排水路７と継手本体２の外部に形成された収容凹部８とを連通する連通孔１２を有している。この連通孔１２は、収容凹部８における下流側の端部を切欠くことにより形成されており、流出部２１から流出する排水を、流下方向を変化させることなく排水路７に合流させることが可能になっている。
【００２７】
また、収容凹部８の上流側（上流管接続口５側）の端部には、支持部１４が形成されている。この支持部１４は、流出部２１の上流端側を回動可能に支持するものであり、後述する枝体３の突出部２６が嵌挿される挿入孔１５が形成されている。なお、支持部１４における排水路７内の上流側角部には、切欠部１６によって斜面が形成されており、上流側排水管６０から排水路７に流込んだ排水が支持部１４に当たっても、切欠部１６に沿って円滑に流れるようになっている。
【００２８】
一方、枝体３は、硬質塩化ビニル等の合成樹脂、特に透明な合成樹脂で形成されており、収容凹部８に収容され下流側の端部に流出口２０を備える円筒状の流出部２１と、流出部２１の上流端側から直角外方向に延出され、排水枝管６５（図３参照）が接続される枝管接続口２２を開放端側に備える流入部２５とから構成され、横断面略Ｌ字形の形状を呈している。特に、枝管接続口２２は、開放端に向かって内径が漸次拡大するように、直径２０ｍｍの排水枝管６５に対応した第一接続部２３と、直径２５ｍｍの排水枝管６５に対応した第二接続部２４が階段状に形成されている。つまり、排水設備に繋がれた排水枝管６５の直径が２０ｍｍの場合は、第一接続部２３の奥まで挿入すること（図３（ｂ）参照）により枝管接続口２２に接続され、一方、排水設備に繋がれた排水枝管６５の直径が２５ｍｍの場合は、第二接続部２４の奥（第一接続部２３の手前）まで挿入すること（図３（ａ）参照）により枝管接続口２２に接続されるように構成されている。
【００２９】
また、流出部２１の外周面には、環状の溝部２１ａが形成されており、Ｏリングまたは平パッキンからなるパッキン４が嵌合されている。溝部２１ａの深さは、パッキン４の厚みよりも浅く、パッキン４の一部が溝部２１ａから外方向に突出するように、すなわち回動支持部１１及び収容凹部８の内面に圧接するようになっている。このようにパッキン４を備えることにより、収容凹部８と流出部２１との隙間が水密状態となり排水の漏れが防止される。
【００３０】
また、枝体３における流出部２１の上流端側の外面には、流出口２０と反対の方向に突出する円柱状の突出部２６が形成されており、支持部１４の挿入孔１５に嵌挿されることで、回動可能に支持されるようになっている。なお、回動支持部１１と支持部１４との間隔（隙間）は、枝体３の流入部２５（枝管接続口２２を除く部分）の直径よりもわずかに大きく、且つ、その直径に突出部２６の高さを加えた長さよりも小さくなっているが、枝体３の流出部２１の先端を回動支持部１１に対して斜めに引掛けた状態から、支持部１４等を弾性変形させながら収容凹部８に押し込むことにより、突出部２６を挿入孔１５に係止させることが可能である。なお、突出部２６を嵌込み易く、且つ外れ難くするために、本例では、突出部２６の先端面に、奥に向かって長さが短くなる斜面２６ａが形成されている。
【００３１】
次に、本実施形態の合流管継手１の作用について、図１及び図３に基づき説明する。図１（ｂ）及び図３（ａ）に示すように、上流側排水管６０を上流管接続口５に接続し、下流側排水管６１を下流管接続口６に接続すれば、上流側排水管６０から送られた排水を、継手本体２の排水路７を通して下流側排水管６１に送ることが可能になる。また、排水設備に繋がれた排水枝管６５を枝管接続口２２に接続すれば、排水設備から排出された排水を、枝体３を通して排水路７に合流させることが可能になる。
【００３２】
特に、排水設備から排出された排水は、収容凹部８に収容された枝体３の流出部２１を通り、排水路７の流下方向に沿って流れながら、連通孔１２で排水路７に合流する。したがって、枝体３から流出する排水は、排水路７を流れる排水、すなわち上流側排水管６０から流込む排水によって阻害され難くなり、円滑に合流させることが可能になる。
【００３３】
また、枝体３の流入部２５は、流出部２１を回転中心として、１８０度の範囲で旋回可能になっているため、継手本体２における枝体接続口１０の位置（すなわち合流点の高さ）に拘らず、流入部２５の角度を調整することが可能となる。例えば、図３（ｂ）に示すように、排水路７を流れる排水が排水枝管６５側に逆流しないように、枝体接続口１０（合流点）を継手本体２の上端に位置させた場合でも、流入部２５を９０度旋回させることで、枝体３における流入部２５の延出方向（すなわち角度）を排水枝管６５の配置に合わせて水平方向とすることが可能となる。また、継手本体２を上流側排水管６０及び下流側排水管６１に固定した後でも、流入部２５の角度を調整しながら（例えば図３（ｃ）に示すように斜め上方に向けて）排水枝管６５を接続することが可能になる。
【００３４】
このように、本例の合流管継手１によれば、横向けに配設される合流管継手１に対して、枝体接続口１０の高さを設定した後も枝体３の流入部２５の角度を容易に調整することができる。このため、排水の逆流を防止するとともに、排水枝管６５の接続のし易さを大幅に高めることができる。また、枝体３から流出する排水の流れが阻害され難くなり、円滑に合流させることができる。
【００３５】
また、本例の合流管継手１によれば、枝体３は、両端が回動可能に支持されているため、安定して支持されるとともに、流入部２５の角度を円滑に変化させることができる。
【００３６】
さらに、本例の合流管継手１によれば、枝管接続口２２は、開放端に向かって内径が階段状に拡大するように形成されているため、排水枝管６５として、外径の異なる二種類のパイプ（直径が２０ｍｍのパイプと２５ｍｍのパイプ）のいずれが使用される場合でも、共通の枝体３で対応することができる。特に、本例の枝体３は、透明な合成樹脂で形成されているため、直径２０ｍｍの排水枝管６５が接続される場合に、その排水枝管６５が確実に第一接続部２３の奥まで挿入されたことを、枝体３の外部から視覚的に確認できる。
【００３７】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３８】
すなわち、上記実施形態では、枝体３の外周面に突出部２６を形成し、支持部１４の挿入孔１５に嵌込むことにより、流出部２１の上流端側を回動可能に支持するものを示したが、図４に示すように、流出部３４の上流端側から流出口３５と反対側に同径または径の小さな突出部３６を延出させるとともに、継手本体３２とは異なる部材で構成された支持部材３７を、継手本体３２に形成されたスライド案内部３８に取り付けることにより、突出部３６を回動可能に支持するようにしてもよい。このスライド案内部３８は、流下方向に沿ったガイド溝３９を内面側に有する一対の壁部４０が、収容凹部４１を挟むように立設され、支持部材３７を上流管接続口４２側から挿入させ、ガイド溝３９に沿ってスライドさせることが可能となっている。一方、支持部材３７は、ガイド溝３９に挿入される一対の係止部４３と、収容凹部４１の外側に位置するとともに回動支持部４９と外観形状が略同一である円弧状の覆い部４４と、係止部４３をガイド溝３９に挿入させた際、スライド案内部３８の壁面３８ａに当接し突出部３６の位置決めを行うストッパー４５とを備え、覆い部４４と覆い部４４に対向する収容凹部４１の内面との協働で突出部３６を回動可能に支持している。そして、枝体３３の流出部３４及び突出部３６を収容凹部４１に収容させた後、支持部材３７を上流管接続口４２側からガイド溝３９に沿ってスライドさせることにより、突出部３６が回動可能に支持されるとともに、枝体３３が収容凹部４１に沿って左右方向に摺動することが阻止されるようになっている。なお、支持部材３７は、ストッパー４５を、スライド案内部３８の壁面３８ａ及び継手本体３２の外周面に接着することにより固定される。ここで、支持部材３７が本発明の支持部に相当する。
【００３９】
また、上記実施形態では、継手本体２を一体成形したものを示したが、上流側の部分と下流側の部分を夫々別々に成形し、接着剤等で接合させて継手本体を構成してもよい。
【００４０】
また、上記実施形態では、枝体３の枝管接続口２２を階段状に形成したもの、すなわち外径が異なる二種類の排水枝管６５に適用できるものを示したが、いずれか一方の排水枝管６５のみが接続可能な専用の枝管接続口としてもよい。なお、この場合には、排水枝管６５の接続状態は容易に把握できるため、枝体３を不透明な素材で形成してもよい。
【００４１】
また、上記実施形態では、回動支持部１１の下流側の端面を収容凹部８に対して垂直な平面とするものを示したが、流出口２０から流出した排水が排水路７の中心側に向かって円滑に流れるように、回動支持部１１の下流側をテーパー状に形成してもよい。
【００４２】
さらに、上記実施形態では、排水管６０，６１を横引き管とし、合流管継手１を横向きに配置するものを示したが、排水管６０，６１を立て管とし、合流管継手１を縦向きに配置することも可能である。このように使用した場合には、継手本体２は、上流管接続口５が上端、下流管接続口６が下端となり、継手本体２が固定された後も、鉛直な回転軸を中心に枝体３の流入部２５を所定角度内で旋回させることができ、排水枝管６５の接続作業が容易になる。
【符号の説明】
【００４３】
１  合流管継手
２，３２  継手本体
３，３３  枝体
５  上流管接続口
６  下流管接続口
７  排水路
８，３８  収容凹部
１０  枝体接続口
１４  支持部
２０，３５  流出口
２１，３４  流出部
２２  枝管接続口
２５  流入部
２６，３６  突出部
３７  支持部材（支持部）
６０  上流側排水管（上流側の排水管）
６１  下流側排水管（下流側の排水管）
６５  排水枝管
【先行技術文献】
【特許文献】
【００４４】
【特許文献１】特開平６−２５４０２９号公報
【図１】
0005764405.tif 000002
【図２】
0005764405.tif 000003
【図３】
0005764405.tif 000004
【図４】
0005764405.tif 000005
【図５】
0005764405.tif 000006